(57)【特許請求の範囲】
【請求項１】
第１の基地局、第２の基地局、及びユーザ装置を有する移動通信システムにおいて使用される前記ユーザ装置であって、
前記第１の基地局に対して所定回数の接続試行を行っても当該第１の基地局への接続ができないと判定した場合に、前記第２の基地局への接続を行う判定部と、
前記判定部により、接続ができないと判定された前記第１の基地局のセルの識別子を含むセル情報を前記第２の基地局に報告するセル情報報告部とを備え、
前記セル情報報告部は、前記セルの識別子として、当該セルの物理セルＩＤと当該セルのグローバルセルＩＤとを含むセル情報を前記第２の基地局に報告することにより、当該第２の基地局に当該セル情報を遠方捕捉セル情報格納部において保持させる
ユーザ装置。
【請求項２】
移動通信システムにおいて使用される基地局であって、
ユーザ装置からの報告により遠方捕捉セルの情報を取得する取得部と、
前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定部と、
前記判定部により、前記物理セルＩＤが前記遠方捕捉セルの情報に含まれていると判定された場合に、前記セルのグローバルセルＩＤを前記特定のユーザ装置から取得し、周辺セル情報格納部に格納し、当該セルのグローバルセルＩＤが前記遠方捕捉セルの情報に含まれている場合に、前記周辺セル情報格納部における前記セルを遠方捕捉セルとして扱う制御部と
を備える基地局。
【請求項３】
第１の基地局、第２の基地局、及びユーザ装置を有する移動通信システムにおいて使用される前記ユーザ装置が実行するセル情報報告方法であって、
前記第１の基地局に対して所定回数の接続試行を行っても当該第１の基地局への接続ができないと判定した場合に、前記第２の基地局への接続を行う判定ステップと、
前記判定ステップにより、接続ができないと判定された前記第１の基地局のセルの識別子を含むセル情報を前記第２の基地局に報告するセル情報報告ステップとを備え、
前記セル情報報告ステップにおいて、前記ユーザ装置は、前記セルの識別子として、当該セルの物理セルＩＤと当該セルのグローバルセルＩＤとを含むセル情報を前記第２の基地局に報告することにより、当該第２の基地局に当該セル情報を遠方捕捉セル情報格納部において保持させる
セル情報報告方法。
【請求項４】
移動通信システムにおいて使用される基地局が実行するセル情報制御方法であって、
ユーザ装置からの報告により遠方捕捉セルの情報を取得する取得ステップと、
前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定ステップと、
前記判定ステップにより、前記物理セルＩＤが前記遠方捕捉セルの情報に含まれていると判定された場合に、前記セルのグローバルセルＩＤを前記特定のユーザ装置から取得し、周辺セル情報格納部に格納し、当該セルのグローバルセルＩＤが前記遠方捕捉セルの情報に含まれている場合に、前記周辺セル情報格納部における前記セルを遠方捕捉セルとして扱う制御ステップと
を備えるセル情報制御方法。
【発明の詳細な説明】
【技術分野】
【０００１】
本発明は、移動通信システムにおいて、ユーザ装置がセルの識別子を基地局に送信し、基地局が当該セルの識別子を用いてハンドオーバ等の処理を行う技術に関連するものである。
【背景技術】
【０００２】
近年、ＬＴＥでは、ＳＯＮ（Ｓｅｌｆ  Ｏｐｔｉｍｉｚｉｎｇ  Ｎｅｔｗｏｒｋ）の導入が進められている。ＳＯＮでは、運用中の基地局ｅＮＢやユーザ装置ＵＥから品質等の測定情報を収集し、ネットワーク側で自律的に基地局等の動作を最適化する制御を行う。ＳＯＮの機能の１つとして、ハンドオーバ先の候補となる周辺セルリストを最適化する制御を行うＡＮＲ（Ａｕｔｏｍａｔｉｃ  Ｎｅｉｇｈｂｏｒ  Ｒｅｌａｔｉｏｎ）が標準化されている（例えば非特許文献１）。
【０００３】
ＡＮＲの機能の中に、基地局ｅＮＢが、ユーザ装置ＵＥからの報告を用いて、周辺セルの情報を取得する機能がある。以下では、「ＡＮＲ」はこの機能を指すものとする。ここでの周辺セルの情報とは、物理セルＩＤ（Ｐｈｙｓｉｃａｌ  ｃｅｌｌ  ＩＤ、Ｐｈｙ  ＣＩＤ、物理ＣＩＤとも記述する）とＥＣＧＩ（Ｅ−ＵＴＲＡＮ  Ｃｅｌｌ  Ｇｌｏｂａｌ  ＩＤ）とを対応付けた情報である。物理セルＩＤとＥＣＧＩは、ともにセルのＩＤ(識別子)であるが、物理セルＩＤは、他のセルとの重複があり得、ＥＣＧＩは他のセルと重複なくセルを一意に識別する。
【０００４】
ユーザ装置ＵＥは、基地局ｅＮＢから送信される同期信号から物理セルＩＤを取得できる。また、ユーザ装置ＵＥは、基地局ｅＮＢから送信される報知情報（具体的にはＳＩＢ１）からＥＣＧＩを取得できる。
【０００５】
図１を参照してＡＮＲの手順例を説明する。図１の例において、ユーザ装置ＵＥは基地局ｅＮＢ１と接続している。基地局ｅＮＢ１はセルＡを形成し、セルＡの物理セルＩＤは３であり、セルＡのＥＣＧＩは１７である。基地局ｅＮＢ２はセルＢを形成し、セルＢの物理セルＩＤは５であり、セルＢのＥＣＧＩは１９である。
【０００６】
ユーザ装置ＵＥ１は、周辺セルとしてセルＢの物理セルＩＤ（＝５）を含む測定報告（Ｍｅａｓｕｒｅｍｅｎｔ  Ｒｅｐｏｒｔ）を基地局ｅＮＢ１に報告する（ステップ１）。
【０００７】
ここで、基地局ｅＮＢ１は、セルＢの受信品質が高いため、ユーザ装置ＵＥをセルＡからセルＢにハンドオーバさせると判断する。ハンドオーバ手順においてハンドオーバ先のセルのＥＣＧＩをユーザ装置ＵＥ等に通知する必要があるが、基地局ｅＮＢ１は、セルＢのＥＣＧＩを把握していない。そこで、ＡＮＲに係る手順として、基地局ｅＮＢ１は、セルＢ（物理ＣＩＤ＝５）のＥＣＧＩの報告を指示する（ステップ２）。具体的には、ＥＣＧＩの報告指示を含む測定設定情報（Ｍｅａｓｕｒｅｍｅｎｔ  ｃｏｎｆｉｇｕｒａｔｉｏｎ）を送信する。
【０００８】
ユーザ装置ＵＥは、基地局ｅＮＢ２から送信される報知情報からセルＢのＥＣＧＩ（＝１９）を読み取り（ステップ３）、ＥＣＧＩ＝１９を基地局ｅＮＢ１に報告する（ステップ４）。ＥＣＧＩ＝１９の情報を受信した基地局ｅＮＢ１は、この情報をハンドオーバ候補とする周辺セルのテーブルであるＮＲＴ（Ｎｅｉｇｈｂｏｒ  Ｒｅｌａｔｉｏｎ  Ｔａｂｌｅ）に格納する（ステップ５）。これにより、基地局ｅＮＢ１は、ユーザ装置ＵＥをセルＢにハンドオーバさせることができる。なお、ＮＲＴにＥＣＧＩ＝１９が格納されたので、これ以降、他のユーザ装置ＵＥをセルＢにハンドオーバさせる際には、ＡＮＲ手順を実行する必要はない。
【０００９】
さて、本願におけるもう一つの背景技術として、遠方捕捉問題がある。遠方捕捉問題とは、期待しないＤＬ（下り）信号を受信し、ＵＬ（上り）信号が届かないことによってＮＷに接続できないケースがあるという問題である。遠方捕捉が生じるケースの例を図２を参照して説明する。
【００１０】
図２に示す例では、基地局ｅＮＢ１〜ｅＮＢ３が存在し、図示のようにセルを形成している。また、基地局ｅＮＢ２に関して、海上伝播、島嶼、山岳部等が起因して、下り信号については、Ｂに示す広い範囲に届くが、上り信号については、Ａに示す範囲でしか基地局ｅＮＢ２に届かない。よって、ＵＥが基地局ｅＮＢ２に在圏できるエリアはＡのエリアとなる。
【００１１】
図示されるように、ユーザ装置ＵＥ−Ａは基地局ｅＮＢ１に在圏できる。一方、ユーザ装置ＵＥ−Ｂは、Ｃｅｌｌ  Ｓｅｌｅｃｔｉｏｎ／Ｒｅｓｅｌｅｃｔｉｏｎによって、基地局ｅＮＢ２のセルがベストセル（最も品質の良いセル）となるため、基地局ｅＮＢ２に対して接続（ＲＡＣＨ送信）を試みるが、上り信号が届かない距離にある基地局ｅＮＢ２には信号が届かないためＮＷにアタッチ不可となりサービスを受けられない。
【先行技術文献】
【非特許文献】
【００１２】
【非特許文献１】3GPP TS 25.484 V11.1.0 (2013-03)
【発明の概要】
【発明が解決しようとする課題】
【００１３】
上述したように、ＡＮＲ手順において、ユーザ装置ＵＥは、周辺セルから報知情報を受信することにより、当該周辺セルのＥＣＧＩを接続セルの基地局ｅＮＢに報告する。従って、基地局ｅＮＢがＡＮＲによって生成するＮＲＴにおける周辺セルが遠方捕捉セルである可能性がある。これは例えば、図２に示す基地局ｅＮＢ３が、ＡＮＲにより、基地局ｅＮＢ２のセルのＥＣＧＩをハンドオーバ先候補の周辺セルの情報として取得し、ＮＲＴに格納した場合に相当する。
【００１４】
上記のように、遠方捕捉セルをハンドオーバ先候補の周辺セルとして管理した場合、接続できない遠方捕捉セルへのハンドオーバをユーザ装置ＵＥに指示する場合が生じ、指示を受けたユーザ装置ＵＥがハンドオーバを実施できなくなる等の問題が生じる可能性がある。
【００１５】
本発明は上記の点に鑑みてなされたものであり、移動通信システムにおける基地局において、遠方捕捉セルとなる周辺セルを遠方捕捉セルとして扱うことを可能とする技術を提供することを目的とする。
【課題を解決するための手段】
【００１６】
本発明の実施の形態によれば、第１の基地局、第２の基地局、及びユーザ装置を有する移動通信システムにおいて使用される前記ユーザ装置であって、
前記第１の基地局に対して所定回数の接続試行を行っても当該第１の基地局への接続ができないと判定した場合に、前記第２の基地局への接続を行う判定部と、
前記判定部により、接続ができないと判定された前記第１の基地局のセルの識別子を含むセル情報を前記第２の基地局に報告するセル情報報告部とを備え、
前記セル情報報告部は、前記セルの識別子として、当該セルの物理セルＩＤと当該セルのグローバルセルＩＤとを含むセル情報を前記第２の基地局に報告することにより、当該第２の基地局に当該セル情報を遠方捕捉セル情報格納部において保持させる
ユーザ装置が提供される。
【００１８】
本発明の実施の形態によれば、移動通信システムにおいて使用される基地局であって、
ユーザ装置からの報告により遠方捕捉セルの情報を取得する取得部と、
前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定部と、
前記判定部により、前記物理セルＩＤが前記遠方捕捉セルの情報に含まれていると判定された場合に、前記セルのグローバルセルＩＤを前記特定のユーザ装置から取得し、周辺セル情報格納部に格納し、当該セルのグローバルセルＩＤが前記遠方捕捉セルの情報に含まれている場合に、前記周辺セル情報格納部における前記セルを遠方捕捉セルとして扱う制御部とを備える基地局が提供される。
【００２０】
本発明の実施の形態によれば、第１の基地局、第２の基地局、及びユーザ装置を有する移動通信システムにおいて使用される前記ユーザ装置が実行するセル情報報告方法であって、
前記第１の基地局に対して所定回数の接続試行を行っても当該第１の基地局への接続ができないと判定した場合に、前記第２の基地局への接続を行う判定ステップと、
前記判定ステップにより、接続ができないと判定された前記第１の基地局のセルの識別子を含むセル情報を前記第２の基地局に報告するセル情報報告ステップとを備え、
前記セル情報報告ステップにおいて、前記ユーザ装置は、前記セルの識別子として、当該セルの物理セルＩＤと当該セルのグローバルセルＩＤとを含むセル情報を前記第２の基地局に報告することにより、当該第２の基地局に当該セル情報を遠方捕捉セル情報格納部において保持させる
セル情報報告方法が提供される。
【００２２】
本発明の実施の形態によれば、移動通信システムにおいて使用される基地局が実行するセル情報制御方法であって、
ユーザ装置からの報告により遠方捕捉セルの情報を取得する取得ステップと、
前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定ステップと、
前記判定ステップにより、前記物理セルＩＤが前記遠方捕捉セルの情報に含まれていると判定された場合に、前記セルのグローバルセルＩＤを前記特定のユーザ装置から取得し、周辺セル情報格納部に格納し、当該セルのグローバルセルＩＤが前記遠方捕捉セルの情報に含まれている場合に、前記周辺セル情報格納部における前記セルを遠方捕捉セルとして扱う制御ステップとを備えるセル情報制御方法が提供される。
【発明の効果】
【００２４】
本発明の実施の形態によれば、移動通信システムにおける基地局において、遠方捕捉セルとなる周辺セルを遠方捕捉セルとして扱うことを可能とする技術が提供される。
【図面の簡単な説明】
【００２５】
【図１】従来のＡＮＲの手順を説明するための図である。
【図２】遠方捕捉の概要を説明するための図である。
【図３】本発明の実施の形態におけるシステム構成図である。
【図４】実施例１におけるシステムの動作を説明するためのシーケンス図である。
【図５】実施例２におけるシステムの動作を説明するためのシーケンス図である。
【図６】実施例３におけるシステムの動作を説明するためのシーケンス図である。
【図７】本実施の形態におけるユーザ装置ＵＥの構成図である。
【図８】本実施の形態における基地局ｅＮＢの構成図である。
【発明を実施するための形態】
【００２６】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−８〜１２のいずれかの方式、又は、Ｒｅｌ−１２以降の方式の意味で使用する。
【００２７】
（システム全体構成）
図３に本発明の実施の形態に係る通信システムの構成図を示す。本実施の形態に係る通信システムは、ＬＴＥ方式の通信システムであり、図３に示すように、基地局ｅＮＢ２、基地局ｅＮＢ３、ユーザ装置ＵＥ１、及びユーザ装置ＵＥ２を含む。各ユーザ装置ＵＥ、及び各基地局ｅＮＢは、ＬＴＥに準拠した機能を含む。
【００２８】
基地局ｅＮＢ２はセル１を形成し、基地局ｅＮＢ３はセル２を形成する。ここでは、図２を用いて説明した状況と同様に、基地局ｅＮＢ３のセル２に在圏するユーザ装置ＵＥ１、２にとって、基地局ｅＮＢ２のセル１は遠方捕捉セルになるものとする。つまり、ユーザ装置ＵＥ１とＵＥ２は、基地局ｅＮＢ２から下り信号を受信できるが、ユーザ装置ＵＥ１、ＵＥ２から送信された上り信号は基地局ｅＮＢ２に届かない。
【００２９】
本実施の形態では、各基地局ｅＮＢは、ハンドオーバ先候補となる周辺セルのＥＣＧＩをＡＮＲ手順を実行することにより取得し、当該ＥＣＧＩを物理ＣＩＤとともに格納する周辺セル情報格納部（ＮＲＴに相当）を備えるとともに、遠方捕捉セルをハンドオーバ先候補の周辺セルとして扱わないようにするための機能を備える。また、各ユーザ装置ＵＥは、周辺セルが遠方捕捉セルであることを判別し、当該遠方捕捉セルに関する情報を基地局ｅＮＢに通知する機能を備える。以下、これらの機能に関連する実施例１〜３を順に説明する。
【００３０】
（実施例１）
実施例１では、ユーザ装置ＵＥ１が、Ｃｅｌｌ  ｒｅｓｅｌｅｃｔｉｏｎ（又はＣｅｌｌ  ｓｅｌｅｃｔｉｏｎ）により、新たなセルに接続しようとして当該セルの基地局ｅＮＢ２に対してランダムアクセス手順を実施するが、ランダムアクセスに失敗することで当該セルが遠方捕捉セルであることを検知し、基地局ｅＮＢ３に接続し、当該遠方捕捉セルに関する情報を接続した基地局ｅＮＢ３に通知する。
【００３１】
一般にランダムアクセス手順においては、ユーザ装置ＵＥは基地局ｅＮＢにＲＡＣＨ  ｐｒｅａｍｂｌｅを送信し、基地局ｅＮＢがユーザ装置ＵＥにＲＡＣＨ  ｒｅｓｐｏｎｓｅを返す。そして、ユーザ装置ＵＥは、ＲＡＣＨ  ｒｅｓｐｏｎｓｅで割り当てられたリソースを用いてＲＲＣ  ｃｏｎｎｅｃｔｉｏｎ  ｒｅｑｕｅｓｔを基地局ｅＮＢに送信し、基地局ｅＮＢからユーザ装置ＵＥにＲＲＣ  ｃｏｎｎｅｃｔｉｏｎ  ｓｅｔｕｐが返されることで、ＲＲＣ接続（ｃｏｎｎｅｃｔｅｄ）状態となり、共有チャネル（ｓｈａｒｅｄ  ｃｈａｎｎｅｌ）によるデータの送受信が可能となる。従って、ユーザ装置ＵＥはＲＡＣＨ  ｒｅｓｐｏｎｓｅを受信しなければ、ＲＲＣ  ｃｏｎｎｅｃｔｉｏｎ  ｒｅｑｕｅｓｔを送信することができずランダムアクセス（接続試行の例）は失敗となる。
【００３２】
実施例１では、ユーザ装置ＵＥ１が、セル１に対して所定閾値で示される回数の接続試行を行ってもセル１に接続できない場合に、セル１を遠方捕捉セルであると判断し、別のセル２（基地局ｅＮＢ３）に接続し、当該接続した基地局ｅＮＢ３に遠方捕捉セルの情報を送信することとしている。
【００３３】
実施例１の手順例を図４を参照して説明する。ユーザ装置ＵＥ１は、セルサーチを行って、各基地局ｅＮＢから各セルの物理ＣＩＤを受信するとともに、各セルについての報知情報（システム情報）を受信する（ステップ１０１、１０２）。また、ユーザ装置ＵＥ１は、各セルの受信品質（ＲＳＲＰ及び／又はＲＳＲＱ）を測定し、セル１が最も受信品質が良いベストセルであると判定する。
【００３４】
ユーザ装置ＵＥ１は、各基地局から受信する報知情報（システム情報）により、各セルにおける上記の所定閾値を取得する。なお、本実施の形態では、当該所定閾値をＯｖｅｒｓｈｏｏｔ  ｔｈｒｅｓｈｏｌｄと称しており、図４にはＯｖｅｒｓｈｏｏｔ  ｔｈｒｅｓｈｏｌｄが示されている。
【００３５】
ユーザ装置ＵＥ１は、セル１がベストセルであると判定したため、セル１の基地局ｅＮＢ２に接続するために、ＲＡＣＨ  ｐｒｅａｍｂｌｅを複数回送信するが、ＲＡＣＨ  ｒｅｓｐｏｎｓｅを受信することなくタイマ（Ｔ３００）が満了する（ステップ１０３）。当該タイマは、一般には、あるセルにおけるランダムアクセス手順の開始（ＲＡＣＨ  ｐｒｅａｍｂｌｅ送信開始）のときにスタートし、ＲＲＣ  ｃｏｎｎｅｃｔｉｏｎ  ｓｅｔｕｐを受信することなく満了した場合に、当該セルにおけるランダムアクセス手順を終了するタイマであるが、本実施の形態では、ＲＲＣ  ｃｏｎｎｅｃｔｉｏｎ  ｓｅｔｕｐを受信することなく（接続に成功することなく）タイマが満了したときに、再度タイマをスタートさせ、接続試行を行うこととしている。当該タイマスタートから接続に成功することなくタイマが満了すること（ＲＲＣのＩｄｌｅをＣｏｎｎｅｃｔｅｄにするための試行）は、１回の接続試行の例である。
【００３６】
そして、ユーザ装置ＵＥ１は、上記所定閾値（Ｏｖｅｒｓｈｏｏｔ  ｔｈｒｅｓｈｏｌｄ）で指定される回数の接続試行を行っても接続に成功しない場合、当該セルを遠方捕捉セルと判断し、当該セルへの接続を諦め、別のセル(例えば、２番目に受信品質の良いセル)への接続を実施する。
【００３７】
具体的には、図４に示すステップ１０４において、ユーザ装置ＵＥは、セル１に対して所定閾値で指定される回数の接続試行を行っても接続に成功しないことを検知し、セル１を遠方捕捉セルと判断し、セル１への接続を諦めて、セル２への接続を行うことを決定している。
【００３８】
なお、上記の例では、接続試行の回数（＝接続に成功せずにタイマが満了する回数）が閾値に達したことを遠方捕捉セル判断、及び別のセルへの接続を試みるトリガとしているが、これは一例である。例えば、接続に成功しないままＲＡＣＨ  ｐｒｅａｍｂｌｅの合計送信回数が所定閾値の回数に達したら遠方捕捉セルと判断して別のセルへの接続を試みることとしてもよい。また、回数ではなく、接続試行開始から所定のタイマをスタートさせ、接続に成功することなく当該タイマが満了したことを遠方捕捉セル判断、及び別のセルへの接続を試みるトリガとしてもよい。
【００３９】
ステップ１０５において、ユーザ装置ＵＥ１は、セル２の基地局ｅＮＢ３に対してランダムアクセス手順を実行し、ランダムアクセスに成功し、ステップ１０６において接続状態になる。
【００４０】
ステップ１０７で、ユーザ装置ＵＥ１は、遠方捕捉セル（セル１）の情報を基地局ｅＮＢ３に送信する。遠方捕捉セル（セル１）の情報には、当該セル１の物理ＣＩＤとＥＣＧＩが含まれる。ＥＣＧＩについては、ステップ１０１の段階で取得しておいてもよいし、ステップ１０４で、セル１が遠方捕捉セルであると判定された後に、セル１のＳＩＢ１を読むことにより取得してもよい。また、遠方捕捉セル（セル１）の情報には、遠方捕捉セルであることを検知するための情報として、タイマが満了した回数、及び／又は、ＲＡＣＨ  ｐｒｅａｍｂｌｅの送信回数が更に含まれていてもよい。
【００４１】
遠方捕捉セル（セル１）の情報を受信した基地局ｅＮＢ３は、当該情報を遠方捕捉セル情報格納部に保持しておく。これにより、基地局ｅＮＢ３は、セル１が遠方捕捉セルであることを把握できる（ステップ１０８）。
【００４２】
なお、ＮＷが輻輳した状態のときに、ユーザ装置ＵＥのＲＡＣＨ試行が失敗する可能性もあるので、ユーザ装置ＵＥが誤って遠方捕捉セルであることを判定しないようにするために、基地局ｅＮＢがＮＷ輻輳等を検知した場合には、基地局ｅＮＢが報知情報によるＯｖｅｒｓｈｏｏｔ  Ｔｈｒｅｓｈｏｌｄの報知を行わない、あるいは、Ｏｖｅｒｓｈｏｏｔ  Ｔｈｒｅｓｈｏｌｄを報知するが、遠方捕捉セルの判定をしないことを加えて通知・報知してもよい。
【００４３】
（実施例１の変形例）
基地局ｅＮＢ３において、セル１が遠方捕捉セルであることを把握する方法は上記の方法に限られず、例えば、遠方捕捉を経験していないユーザ装置ＵＥからの無線測定報告（ＲＳＲＰ、ＲＳＲＱ）とユーザ装置ＵＥの位置情報等に基づいて、基地局ｅＮＢ３においてセル１が遠方捕捉セルであると判断してもよい。
【００４４】
具体的には、セル２に接続されるユーザ装置ＵＥ（遠方捕捉問題を直接経験していないユーザ装置ＵＥ、例えば、移動しているユーザ装置ＵＥ）が通常のＲＲＭ  ｍｅａｓｕｒｅｍｅｎｔ（ｍｏｂｉｌｉｔｙのためにＣｏｎｆｉｇｕｒｅされる測定）を行い、周辺セル（セル１）の測定結果をセル２の周辺セル（十分なＲＳＲＰ，ＲＳＲＱの値）として基地局ｅＮＢ３に報告する。そして、基地局ｅＮＢ３は、良好な測定結果が得られたセル１のＥＣＧＩをＡＮＲ手順を用いてユーザ装置ＵＥから取得し、セル１の位置を把握する。ＥＣＧＩはセルと一意に対応するので、ＥＣＧＩにより、セルの地理上の位置を把握できる。セル１のＥＣＧＩ／位置は、ＯＡＭから割り出すことも可能である。また、セル１の位置をその他の方法で把握してもよい。なお、セルの位置とは、例えば、セルを形成する基地局の緯度・経度、住所等で表すことができる。
【００４５】
更に、基地局ｅＮＢ３は、ユーザ装置ＵＥの位置を取得し、ユーザ装置ＵＥとセル１との位置関係から、上記の周辺セル（セル１）は遠方捕捉セルであることを推定できる。例えば、ユーザ装置ＵＥとセル１との距離が所定値以上である場合に、セル１を遠方捕捉セルであると判定することができる。なお、ユーザ装置ＵＥの位置は、どのような方法で取得してもよいが、例えば既存のｐｏｓｉｔｉｏｎｉｎｇ技術を用いて取得することができる。また、ユーザ装置ＵＥがＧＰＳで位置を取得し、当該位置を基地局ｅＮＢ３に報告することとしてもよい。
【００４６】
（実施例２）
次に、実施例２を説明する。実施例２では、基地局ｅＮＢ３は実施例１（実施例１の変形例を含む、以下同様）で説明した手順で遠方捕捉セル（セル１）を把握するとともに、当該遠方捕捉セルに関する測定報告を受信した場合に、ＡＮＲ手順（ＥＣＧＩ要求）を行わない、あるいは、ＡＮＲ手順を行うが、取得したＥＣＧＩを周辺セル情報格納部において遠方捕捉セルとして識別する制御を実施する。
【００４７】
実施例２の手順例を図５を参照して説明する。図５の例では、実施例１で説明した手順が実行され、基地局ｅＮＢ３は、遠方捕捉セル（セル１）を把握している（ステップ２０１）。また、ユーザ装置ＵＥ２がセル２（基地局ｅＮＢ３）と接続中である（ステップ２０２）。また、この時点では、基地局ｅＮＢ３は、ハンドオーバ先候補の周辺セルの情報としてセル１のＥＣＧＩを周辺セル情報格納部に保持していない。
【００４８】
ユーザ装置ＵＥ２は、基地局ｅＮＢ３から受信する測定設定情報（Ｍｅａｓｕｒｅｍｅｎｔ  ｃｏｎｆｉｇｕｒａｔｉｏｎ）に基づいて、周辺セルであるセル１に関する測定報告（Ｍｅａｓｕｒｅｍｅｎｔ  ｒｅｐｏｒｔ）を基地局ｅＮＢ３に送信する（ステップ２０３）。当該測定報告には、セル１の物理ＣＩＤが含まれている。基地局ｅＮＢ３は、当該測定報告に基づいて、ユーザ装置ＵＥ２をセル２からセル１にハンドオーバさせると判断する。ハンドオーバ先候補としてセル１のＥＣＧＩを保持していないため、通常であればＡＮＲ手順を実施することになるが、実施例２においては、ＡＮＲ手順を実施しない制御を行うことが可能である。
【００４９】
すなわち、図５のステップ２０４において、基地局ｅＮＢ３は、ユーザ装置ＵＥ２から測定報告として受信したセル１の物理ＣＩＤが、実施例１の手順により遠方捕捉セルの情報として遠方捕捉セル情報格納部に格納されているか否かを確認する。本例においては、セル１の物理ＣＩＤが遠方捕捉セル情報格納部に格納されていると判定される。これにより、基地局ｅＮＢ３は、セル１が遠方捕捉セルであると判断し、遠方捕捉セルへハンドオーバさせることはできないため、ユーザ装置ＵＥ２に対するセル１のＥＣＧＩ報告指示を行わないこととする（ステップ２０４）。
【００５０】
仮に、ユーザ装置ＵＥ２から測定報告として受信したセル１の物理ＣＩＤが、実施例１の手順により遠方捕捉セルの情報として遠方捕捉セル情報格納部に格納されていなければ、ＡＮＲ手順を実行する。
【００５１】
物理ＣＩＤについては、異なるセルに同じ物理ＣＩＤが付される可能性がある。従って、上記のステップ２０４において、ユーザ装置ＵＥ２から測定報告として受信したセル１の物理ＣＩＤが、実施例１の手順により遠方捕捉セルの情報として遠方捕捉セル情報格納部に格納されている場合でも、ユーザ装置ＵＥ２から報告されたセルが、実施例１で遠方捕捉セル情報格納部に格納されたＥＣＧＩに対応するセル（遠方捕捉セル）と異なる可能性がある。ただし、同じである可能性は高いので、ステップ２０４では、ＡＮＲ手順を実施しないこととしている。
【００５２】
上記のように、ユーザ装置ＵＥ２から報告されたセルが、実施例１で遠方捕捉セル情報格納部に格納されたＥＣＧＩに対応するセル（遠方捕捉セル）と異なる可能性があることを考慮して、ステップ２０５に示すように、基地局ｅＮＢ３がＡＮＲ手順を実施すると判断してもよい。
【００５３】
この場合、ステップ２０６において、基地局ｅＮＢ３は、ユーザ装置ＵＥ２に対してセル１の物理ＣＩＤを指定して、セル１のＥＣＧＩの報告を指示し、ユーザ装置ＵＥ２は当該指示に従って、セル１のＳＩＢ１からＥＣＧＩを取得して、当該ＥＣＧＩを基地局ｅＮＢ３に報告する。
【００５４】
ユーザ装置ＵＥ２からセル１のＥＣＧＩを受信した基地局ｅＮＢ３は、当該ＥＣＧＩをセル１の物理ＣＩＤと対応付けて、ハンドオーバ先候補周辺セルの情報として周辺セル情報格納部に格納する。また、基地局ｅＮＢ３は、当該ＥＣＧＩと、実施例１の手順により遠方捕捉セル情報格納部に格納されている遠方捕捉セルのＥＣＧＩ（ＵＥ１から報告された情報）とを比較し、これらが一致すれば、ユーザ装置ＵＥ２からの報告に係るセル１を遠方捕捉セルであると判断し、周辺セル情報格納部に格納したセル１の情報（例：ＥＣＧＩ）に、遠方捕捉セルであることを示すフラグを付ける。基地局ｅＮＢ３は、例えば、当該フラグの付いたセルをハンドオーバ先とするハンドオーバを行わない制御を実行することができる。
【００５５】
（実施例３）
次に、実施例３を説明する。実施例３では、通常のＡＮＲ手順を実行し、その後に、当該ＡＮＲ手順で取得したＥＣＧＩのセルが遠方捕捉セルであると判断された場合に、当該ＡＮＲ手順で周辺セル情報格納部に格納したＥＣＧＩのセルの情報を周辺セル情報格納部から削除等するものである。
【００５６】
実施例３の手順例を図６を参照して説明する。図６の例において、ユーザ装置ＵＥ２がセル２（基地局ｅＮＢ３）と接続中である（ステップ３０１）。また、この時点では、基地局ｅＮＢ３は、ハンドオーバ先候補の周辺セルの情報としてセル１のＥＣＧＩを保持していない。
【００５７】
ユーザ装置ＵＥ２は、基地局ｅＮＢ３から受信する測定設定情報（Ｍｅａｓｕｒｅｍｅｎｔ  ｃｏｎｆｉｇｕｒａｔｉｏｎ）に基づいて、周辺セルであるセル１に関する測定報告（Ｍｅａｓｕｒｅｍｅｎｔ  ｒｅｐｏｒｔ）を基地局ｅＮＢ３に送信する（ステップ３０２）。当該測定報告には、セル１の物理ＣＩＤが含まれている。基地局ｅＮＢ３は、当該測定報告に基づいて、ユーザ装置ＵＥ２をセル２からセル１にハンドオーバさせると判断するが、ハンドオーバ先候補としてセル１のＥＣＧＩを保持していないため、ＡＮＲ手順を実施すると判断する。すなわち、ステップ３０３でユーザ装置ＵＥ２に対してセル１のＥＣＧＩを報告させると判断し、ステップ３０４でＡＮＲ手順が実施される。
【００５８】
より具体的には、ステップ３０４において、基地局ｅＮＢ３は、ユーザ装置ＵＥ２に対してセル１の物理ＣＩＤを指定して、セル１のＥＣＧＩの報告を指示し、ユーザ装置ＵＥ２は当該指示に従って、セル１のＳＩＢ１からＥＣＧＩを取得して、当該ＥＣＧＩを基地局ｅＮＢ３に報告する。
【００５９】
ユーザ装置ＵＥ２からセル１のＥＣＧＩを受信した基地局ｅＮＢ３は、当該ＥＣＧＩをセル１の物理ＣＩＤと対応付けて、ハンドオーバ先候補周辺セルの情報として周辺セル情報格納部に格納する。
【００６０】
基地局ｅＮＢ３は、ユーザ装置ＵＥ２をセル２からセル１にハンドオーバさせる手順を実行するが、本例では、セル１が遠方捕捉セルであるため、ユーザ装置ＵＥ２はセル１へのハンドオーバに失敗する（ステップ３０５）。基地局ｅＮＢ３は、例えばタイマ制御等により、ユーザ装置ＵＥ２に対するハンドオーバの完了を監視するが、ハンドオーバ完了を検知できずハンドオーバが失敗したことを把握する。その原因は基地局ｅＮＢ３にとっては不明である（ステップ３０６）。
【００６１】
その後、ユーザ装置ＵＥ１に関して、実施例１（図４）のステップ１０１〜１０８と同じ手順が実行され（ステップ３０７、３０８）、基地局ｅＮＢ３の遠方捕捉セル情報格納部に、セル１の物理ＣＩＤとＥＣＧＩが格納される。また、実施例１の変形例で説明したように、基地局ｅＮＢ３は、ユーザ装置ＵＥ１からセル１についての良好な受信品質の報告を受け、ユーザ装置ＵＥ１からセル１のＥＣＧＩを取得し、セル１の位置とユーザ装置ＵＥ１の位置とに基づいて、セル１を遠方捕捉セルであると判定し、遠方捕捉セル情報格納部に、セル１の物理ＣＩＤとＥＣＧＩを格納することとしてもよい。
【００６２】
実施例３では、基地局ｅＮＢ３は、ユーザ装置ＵＥ１から遠方捕捉セルの情報を受信したことをトリガとして、ハンドオーバに失敗したＥＣＧＩと、ステップ３０７、３０８の手順で報告された遠方捕捉セルのＥＣＧＩとを比較し、これらが一致するかどうかを判定する。本例では、これらはセル１のＥＣＧＩとして一致すると判定される（ステップ３０９）。すなわち、ステップ３０４において、ＡＮＲ手順で取得し、格納したＥＣＧＩに係るセルは遠方捕捉セルであると判断できるので、基地局ｅＮＢ３は、当該ＥＣＧＩに係るセルの情報（物理ＣＩＤとＥＣＧＩ）を周辺セル情報格納部から削除する（ステップ３１０）。これにより、基地局ｅＮＢ３は、ＵＥに対し、遠方捕捉セルであるセル１へのハンドオーバをさせないことができる。なお、ステップ３１０では、遠方捕捉セルの情報を削除することとしているが、削除せずに、遠方捕捉セルであることがわかるようにフラグを付することとしてもよい。つまり、周辺セルを遠方捕捉セルとして扱うこととしてもよい。
【００６３】
また、ステップ３０９での比較判定は、遠方捕捉セルのＥＣＧＩと、ハンドオーバに失敗したセルに係るＥＣＧＩとの比較に限られない。例えば、ハンドオーバに失敗したか否かに関わらず、実施例１の手順により遠方捕捉セルのＥＣＧＩが得られた場合に、当該ＥＣＧＩと、周辺セル情報格納部に格納されている周辺セルのＥＣＧＩとを比較して、一致した場合に、周辺セルの情報削除やフラグ付与を行うこととしてもよい。
【００６４】
以上、説明したように、実施例２、３はそれぞれ実施例１と組み合わせて実施できる。また、実施例２と実施例３を組み合わせ実施することもできる。例えば、実施例３の図６に示すステップ３０４のＡＮＲ手順でＥＣＧＩを取得して周辺セル情報格納部に格納した基地局ｅＮＢ３は、遠方捕捉セル情報格納部を参照し、当該ＥＣＧＩと一致するＥＣＧＩが遠方捕捉セル情報格納部に格納されていない場合に、ステップ３０９、３１０を実行し、格納されている場合には、図５のステップ２０７と同様に、周辺セル情報格納部に格納されているＥＣＧＩにフラグを付するといった処理を行うことができる。
【００６５】
（実施例４）
これまでに説明した方法により、基地局ｅＮＢがあるセルを遠方捕捉セルであると特定できた場合、当該遠方捕捉セルの情報はハンドオーバの周辺セルの自動設定等に役立てるだけではなく、そのためのＳＯＮの機能にも役立てることが可能である。そのような機能としては、例えばＭＲＯ（Ｍｏｂｉｌｉｔｙ  Ｒｏｂｕｓｔｎｅｓｓ  Ｏｐｔｉｍｉｚａｔｉｏｎ）がある。
【００６６】
例えば、ＭＲＯでは、ハンドオーバ失敗の事象の要因として、Ｈａｎｄｏｖｅｒ  ｔｏｏ  ｅａｒｌｙ、Ｈａｎｄｏｖｅｒ  ｔｏｏ  ｌａｔｅ、Ｈａｎｄｏｖｅｒ  ｔｏｏ  ｗｒｏｎｇ  ｃｅｌｌ等が考えられる。基地局ｅＮＢがあるセルを遠方捕捉セルであると把握した場合、当該セルのハンドオーバパラメータ（ＣＩＯ  （Ｃｅｌｌ  ｓｐｅｃｉｆｉｃ  ｏｆｆｓｅｔ））をチューニングし、ハンドオーバ候補として挙げられないようにする、等に役に立ててもよい。
【００６７】
（装置構成例）
＜ユーザ装置ＵＥ＞
図７に、ユーザ装置ＵＥ１、ＵＥ２として使用され得る本実施の形態におけるユーザ装置ＵＥの構成図を示す。図７に示すように、ユーザ装置ＵＥは、ＤＬ信号受信部１０１、ＵＬ信号送信部１０２、遠方捕捉判定部１０３、遠方捕捉セル情報報告部１０４を備える。なお、図７は、ユーザ装置ＵＥにおいて本発明に特に関連する機能部のみを示すものであり、少なくともＬＴＥに準拠した動作を行うための図示しない機能も有するものである。また、図７に示す機能構成は一例に過ぎない。本実施の形態に係る動作を実行できるのであれば、機能区分や機能部の名称はどのようなものでもよい。
【００６８】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。ランダムアクセス手順等の接続試行はＤＬ信号受信部１０１とＵＬ信号送信部１０２により実行することができる。
【００６９】
遠方捕捉判定部１０３は、ＤＬ信号受信部１０１を介して基地局ｅＮＢから所定閾値（Ｏｖｅｒｓｈｏｏｔ  ｔｈｒｅｓｈｏｌｄ）を受信するとともに、当該所定閾値を用いて、実施例１（図４）のステップ１０３、１０４において説明した手順により、接続試行先のセルが遠方捕捉セルであるか否かを判定し、遠方捕捉セルである場合に、他の基地局（例；セカンドベストセル）への接続を実施する。すなわち、所定閾値で示される回数だけ接続試行を行ってもセルへの接続ができない（ＲＲＣ  ｃｏｎｎｅｃｔｉｏｎ  ｓｅｔｕｐを受信できない）場合に、当該セルを遠方捕捉セルであると判定し、他の基地局（例；セカンドベストセル）への接続を実施する。
【００７０】
遠方捕捉セル情報報告部１０４は、実施例１（図４）のステップ１０７において説明したように、遠方捕捉判定部１０３により遠方捕捉セルであると判定されたセルの情報をＵＬ信号送信部１０２を介して基地局ｅＮＢに報告する。
【００７１】
＜基地局ｅＮＢ＞
図８に、基地局ｅＮＢ２、ｅＮＢ３として使用され得る本実施の形態における基地局ｅＮＢの構成図を示す。図８に示す基地局ｅＮＢは、実施例１〜３で説明した基地局における全ての機能を含むものとするが、基地局ｅＮＢは、実施例１〜３のうちのいずれか１つ又はいずれか２つの実施例の機能を含むこととしてもよい。
【００７２】
図８に示すように、基地局ｅＮＢは、ＤＬ信号送信部２０１、ＵＬ信号受信部２０２、遠方捕捉セル情報取得部２０３、ＡＮＲ制御部２０４、周辺セル情報格納部２０５、遠方捕捉セル情報格納部２０６を有する。なお、図８は、基地局ｅＮＢにおいて本発明の実施の形態に特に関連する機能部のみを示すものであり、少なくともＬＴＥ方式に準拠した動作を行うための図示しない機能も有するものである。また、図８に示す機能構成は一例に過ぎない。本実施の形態に係る動作を実行できるのであれば、機能区分や機能部の名称はどのようなものでもよい。
【００７３】
ＤＬ信号送信部２０１は、基地局ｅＮＢから送信されるべき上位のレイヤの情報から、物理レイヤの各種信号を生成し、ユーザ装置ＵＥに対して送信する機能を含む。ＵＬ信号受信部２０２は、ユーザ装置ＵＥから各種の上り信号を受信し、受信した物理レイヤの信号からより上位のレイヤの情報を取得する機能を含む。
【００７４】
遠方捕捉セル情報取得部２０３は、ユーザ装置ＵＥの遠方捕捉判定部１０３により遠方捕捉セルであると判定されたセルの情報を当該ユーザ装置ＵＥからＵＬ信号受信部２０２を介して受信し、当該情報を遠方捕捉セル情報格納部２０６に格納する。また、遠方捕捉セル情報取得部２０３は、実施例１の変形例で説明した方法で周辺セルを遠方捕捉セルであると判定し、当該遠方捕捉セルの情報を遠方捕捉セル情報格納部２０６に格納する機能も含む。遠方捕捉セル情報格納部２０６には、遠方捕捉セル毎に情報が格納されている。遠方捕捉セルの情報は、実施例１で説明したように、当該セルの物理ＣＩＤとＥＣＧＩを含む。
【００７５】
ＡＮＲ制御部２０４は、ＡＮＲ手順（ＥＣＧＩ報告指示、ＥＣＧＩ報告受信等）を実施して、ＡＮＲ手順により取得した物理ＣＩＤとＥＣＧＩを周辺セル情報格納部２０５に格納する。周辺セル情報格納部２０５は、ハンドオーバ先候補となる周辺セルの情報（物理ＣＩＤ、ＥＣＧＩ）を格納する格納部であり、例えばＮＲＴに相当するものである。
【００７６】
また、ＡＮＲ制御部２０４は、実施例２（図５）のステップ２０４〜２０７等で説明した手順を実施する機能を有する。なお、ＡＮＲ制御部２０４は、下記の各判定を行う判定部を有する。
【００７７】
すなわち、ＡＮＲ制御部２０４は、測定報告により受信した物理ＣＩＤが、遠方捕捉セル情報格納部２０６に格納されている物理ＣＩＤのいずれかと一致するか否かを判定し、一致する場合に、当該物理ＣＩＤのセルへのハンドオーバを決定する場合でも、ＡＮＲ手順を実行しない制御を行うことができる。また、ＡＮＲ制御部２０４は、測定報告により受信した物理ＣＩＤが、遠方捕捉セル情報格納部２０６に格納されている物理ＣＩＤのいずれかと一致するか否かを判定し、一致する場合に、当該物理ＣＩＤのセルへのハンドオーバを決定するとＡＮＲ手順を実行してＥＣＧＩを取得し、周辺セル情報格納部２０５に格納するとともに、このＥＣＧＩと遠方捕捉セル情報格納部２０６に格納されているＥＣＧＩが一致する場合に、周辺セル情報格納部２０５に格納されているＥＣＧＩに遠方捕捉セルであることを示すフラグを付ける等の制御を行うこともできる。
【００７８】
また、ＡＮＲ制御部２０４は、実施例３（図６）のステップ３０３〜３１０等で説明した手順を実施する機能も有する。すなわち、ＡＮＲ制御部２０４は、ＡＮＲ手順で取得し、周辺セル情報格納部２０５に格納したセルのＥＣＧＩと、遠方捕捉セル情報取得部２０３により取得したセルのＥＣＧＩとを比較し、これらが一致した場合に、周辺セル情報格納部２０５に格納したセルの情報を削除等する。
【００７９】
以上説明したように、本実施の形態では、第１の基地局、第２の基地局、及びユーザ装置を有する移動通信システムにおいて使用される前記ユーザ装置であって、前記第１の基地局に対して所定回数の接続試行を行っても当該第１の基地局への接続ができないと判定した場合に、前記第２の基地局への接続を行う判定部と、前記判定部により、接続ができないと判定された前記第１の基地局のセルの識別子を含むセル情報を前記第２の基地局に報告するセル情報報告部とを備えるユーザ装置が提供される。この構成により、結果として、基地局において、遠方捕捉セルとなる周辺セルを遠方捕捉セルとして扱うことが可能となる。
【００８０】
例えば、前記セル情報報告部は、前記セルの識別子として、当該セルの物理セルＩＤと当該セルのグローバルセルＩＤとを含むセル情報を前記第２の基地局に報告する。物理セルＩＤとグローバルセルＩＤを報告することで、報告を受けた基地局は、遠方捕捉セルを物理セルＩＤとグローバルセルＩＤのどちらでも把握できるようになる。
【００８１】
また、本実施の形態では、移動通信システムにおいて使用される基地局であって、ユーザ装置からの報告により遠方捕捉セルの情報を取得する取得部と、前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定部と、
前記判定部により、前記物理セルＩＤが前記遠方捕捉セルの情報に含まれていると判定された場合に、前記特定のユーザ装置に対して前記他の基地局のセルへのハンドオーバを決定しても、当該ハンドオーバに必要となる前記セルのグローバルセルＩＤを取得する手順を実行しない制御を行う制御部とを備える基地局が提供される。
【００８２】
この構成により、基地局において、遠方捕捉セルとなる周辺セルを遠方捕捉セルとして扱うことが可能となる。
【００８３】
また、本実施の形態では、移動通信システムにおいて使用される基地局であって、ユーザ装置からの報告により遠方捕捉セルの情報を取得する取得部と、前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定部と、前記判定部により、前記物理セルＩＤが前記遠方捕捉セルの情報に含まれていると判定された場合に、前記セルのグローバルセルＩＤを前記特定のユーザ装置から取得し、周辺セル情報格納部に格納し、当該セルのグローバルセルＩＤが前記遠方捕捉セルの情報に含まれている場合に、前記周辺セル情報格納部における前記セルを遠方捕捉セルとして扱う制御部とを備える基地局が提供される。
【００８４】
この構成により、基地局において、遠方捕捉セルとなる周辺セルを遠方捕捉セルとして扱うことが可能となる。
【００８５】
また、本実施の形態では、移動通信システムにおいて使用される基地局であって、ユーザ装置からの報告により遠方捕捉セルの情報を取得する取得部と、前記基地局に接続する特定のユーザ装置から、他の基地局のセルの物理セルＩＤを含む測定報告を受信し、前記セルのグローバルセルＩＤを前記特定のユーザ装置から取得し、周辺セル情報格納部に格納する制御部と、を備え、前記取得部により遠方捕捉セルのグローバルセルＩＤが取得された場合に、前記制御部は、当該遠方捕捉セルのグローバルセルＩＤと前記他の基地局のセルのグローバルセルＩＤとが一致するか否かを判定し、一致する場合に、前記周辺セル情報格納部から前記他の基地局のセルの情報を削除する、又は、当該他の基地局のセルを遠方捕捉セルとして扱う基地局が提供される。
【００８６】
この構成により、基地局において、遠方捕捉セルとなる周辺セルを遠方捕捉セルとして扱うことが可能となる。
【００８７】
また、前記取得部は、前記基地局に接続されるユーザ装置の位置と、当該ユーザ装置から良好な受信品質の報告を受けた周辺セルの位置とに基づいて、当該周辺セルを遠方捕捉セルであると判定することとしてもよい。このような手法を用いることで、ユーザ装置において遠方捕捉セルの情報を通知する機能がない場合でも、基地局は特定の周辺セルを遠方捕捉セルであると判定することができる。
【００８８】
例えば、前記制御部は、前記特定のユーザ装置に対して前記グローバルセルＩＤの報告指示を送信することにより当該グローバルセルＩＤを取得することができる。このような処理内容とすることで、標準化されたＡＮＲ手順を適用してグローバルセルＩＤの取得を行うことができる。
【００８９】
本実施の形態で説明したユーザ装置ＵＥの機能構成は、ＣＰＵとメモリを備えるユーザ装置ＵＥにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９０】
本実施の形態で説明した基地局ｅＮＢについても、ＣＰＵとメモリを備える基地局ｅＮＢにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９１】
（第１項）
第１の基地局、第２の基地局、及びユーザ装置を有する移動通信システムにおいて使用される前記ユーザ装置であって、
前記第１の基地局に対して所定回数の接続試行を行っても当該第１の基地局への接続ができないと判定した場合に、前記第２の基地局への接続を行う判定部と、
前記判定部により、接続ができないと判定された前記第１の基地局のセルの識別子を含むセル情報を前記第２の基地局に報告するセル情報報告部と
を備えるユーザ装置。
（第２項）
前記セル情報報告部は、前記セルの識別子として、当該セルの物理セルＩＤと当該セルのグローバルセルＩＤとを含むセル情報を前記第２の基地局に報告する
第１項に記載のユーザ装置。
（第３項）
移動通信システムにおいて使用される基地局であって、
ユーザ装置からの報告により遠方捕捉セルの情報を取得する取得部と、
前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定部と、
前記判定部により、前記物理セルＩＤが前記遠方捕捉セルの情報に含まれていると判定された場合に、前記特定のユーザ装置に対して前記他の基地局のセルへのハンドオーバを決定しても、当該ハンドオーバに必要となる前記セルのグローバルセルＩＤを取得する手順を実行しない制御を行う制御部と
を備える基地局。
（第４項）
移動通信システムにおいて使用される基地局であって、
ユーザ装置からの報告により遠方捕捉セルの情報を取得する取得部と、
前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定部と、
前記判定部により、前記物理セルＩＤが前記遠方捕捉セルの情報に含まれていると判定された場合に、前記セルのグローバルセルＩＤを前記特定のユーザ装置から取得し、周辺セル情報格納部に格納し、当該セルのグローバルセルＩＤが前記遠方捕捉セルの情報に含まれている場合に、前記周辺セル情報格納部における前記セルを遠方捕捉セルとして扱う制御部と
を備える基地局。
（第５項）
移動通信システムにおいて使用される基地局であって、
ユーザ装置からの報告により遠方捕捉セルの情報を取得する取得部と、
前記基地局に接続する特定のユーザ装置から、他の基地局のセルの物理セルＩＤを含む測定報告を受信し、前記セルのグローバルセルＩＤを前記特定のユーザ装置から取得し、周辺セル情報格納部に格納する制御部と、を備え、
前記取得部により遠方捕捉セルのグローバルセルＩＤが取得された場合に、前記制御部は、当該遠方捕捉セルのグローバルセルＩＤと前記他の基地局のセルのグローバルセルＩＤとが一致するか否かを判定し、一致する場合に、前記周辺セル情報格納部から前記他の基地局のセルの情報を削除する、又は、当該他の基地局のセルを遠方捕捉セルとして扱う
基地局。
（第６項）
前記取得部は、前記基地局に接続されるユーザ装置の位置と、当該ユーザ装置から良好な受信品質の報告を受けた周辺セルの位置とに基づいて、当該周辺セルを遠方捕捉セルであると判定する機能を有する
第５項に記載の基地局。
（第７項）
第１の基地局、第２の基地局、及びユーザ装置を有する移動通信システムにおいて使用される前記ユーザ装置が実行するセル情報報告方法であって、
前記第１の基地局に対して所定回数の接続試行を行っても当該第１の基地局への接続ができないと判定した場合に、前記第２の基地局への接続を行う判定ステップと、
前記判定ステップにより、接続ができないと判定された前記第１の基地局のセルの識別子を含むセル情報を前記第２の基地局に報告するセル情報報告ステップと
を備えるセル情報報告方法。
（第８項）
移動通信システムにおいて使用される基地局が実行するセル情報制御方法であって、
ユーザ装置からの報告により遠方捕捉セルの情報を取得する取得ステップと、
前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定ステップと、
前記判定ステップにより、前記物理セルＩＤが前記遠方捕捉セルの情報に含まれていると判定された場合に、前記特定のユーザ装置に対して前記他の基地局のセルへのハンドオーバを決定しても、当該ハンドオーバに必要となる前記セルのグローバルセルＩＤを取得する手順を実行しない制御を行う制御ステップと
を備えるセル情報制御方法。
（第９項）
移動通信システムにおいて使用される基地局が実行するセル情報制御方法であって、
ユーザ装置からの報告により遠方捕捉セルの情報を取得する取得ステップと、
前記基地局に接続する特定のユーザ装置から、他の基地局のセルの物理セルＩＤを含む測定報告を受信し、当該セルの物理セルＩＤが前記遠方捕捉セルの情報に含まれているか否かを判定する判定ステップと、
前記判定ステップにより、前記物理セルＩＤが前記遠方捕捉セルの情報に含まれていると判定された場合に、前記セルのグローバルセルＩＤを前記特定のユーザ装置から取得し、周辺セル情報格納部に格納し、当該セルのグローバルセルＩＤが前記遠方捕捉セルの情報に含まれている場合に、前記周辺セル情報格納部における前記セルを遠方捕捉セルとして扱う制御ステップと
を備えるセル情報制御方法。
（第１０項）
移動通信システムにおいて使用される基地局が実行するセル情報制御方法であって、
前記基地局に接続する特定のユーザ装置から、他の基地局のセルの物理セルＩＤを含む測定報告を受信し、前記セルのグローバルセルＩＤを前記特定のユーザ装置から取得し、周辺セル情報格納部に格納するステップと、
ユーザ装置からの報告により遠方捕捉セルの情報を取得する取得ステップと、を備え、
前記取得ステップにより遠方捕捉セルのグローバルセルＩＤが取得された場合に、前記基地局は、当該遠方捕捉セルのグローバルセルＩＤと前記他の基地局のセルのグローバルセルＩＤとが一致するか否かを判定し、一致する場合に、前記周辺セル情報格納部から前記他の基地局のセルの情報を削除する、又は、当該他の基地局のセルを遠方捕捉セルとして扱う
セル情報制御方法。
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥと基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９２】
本発明は上記実施形態に限定されず、本発明の精神から逸脱することなく、様々な変形例、修正例、代替例、置換例等が本発明に包含される。
【符号の説明】
【００９３】
ｅＮＢ  基地局
ＵＥ  ユーザ装置
１０１  ＤＬ信号受信部
１０２  ＵＬ信号送信部
１０３  遠方捕捉判定部
１０４  遠方捕捉セル情報報告部
２０１  ＤＬ信号送信部
２０２  ＵＬ信号受信部
２０３  遠方捕捉セル情報取得部
２０４  ＡＮＲ制御部
２０５  周辺セル情報格納部
２０６  遠方捕捉セル情報格納部
【図１】
0006343533.tif 000002
【図２】
0006343533.tif 000003
【図３】
0006343533.tif 000004
【図４】
0006343533.tif 000005
【図５】
0006343533.tif 000006
【図６】
0006343533.tif 000007
【図７】
0006343533.tif 000008
【図８】
0006343533.tif 000009